(57)【要約】【課題】本発明は、施工性及びコスト面に優れた壁体内気密構造及びその施工方法を提供することを可能にすることを目的としている。【解決手段】建築物の土台、胴差し等の横架材５の上面５ａに柱、間柱等の軸材８が立設されると共に、該横架材５の上面に床材支持部材となる根太９が水平方向に載置され、該横架材５上方に設けられる断熱部材10の室内側に気密シート６が張設される気密構造において、該横架材５の上面に、前記軸材８間の間隔に対応する長さを有する断面Ｌ字形状の気密部材１の起立片２が当接されると共に、該気密部材１の水平片３が気密シート６に当接する部位まで延長され、更に両端部が軸材８間に当接して配置され、気密シート６を該気密部材１の水平片３の端部まで延長して張設する。【選択図】      図１
2007100433.tif 000002
【特許請求の範囲】
【請求項１】
建築物の土台、胴差し等の横架材の上面に柱、間柱等の軸材が立設されると共に、該横架材の上面に床材支持部材が水平方向に載置され、該横架材上方に設けられる断熱部材の室内側に気密シートが張設される壁体内気密構造において、
前記横架材の上面の前記床材支持部材を避ける部位に、前記軸材間の間隔に対応する長さを有する気密部材が当接されると共に、該気密部材が前記気密シートに当接する部位まで延長され、更に該気密部材の長手方向両端部が前記軸材間に当接して配置され、前記気密シートを該気密部材の端部まで延長して張設したことを特徴とする壁体内気密構造。
【請求項２】
前記気密部材は、断面Ｌ字形状又は断面Ｊ字形状であることを特徴とする請求項１に記載の壁体内気密構造。
【請求項３】
前記気密部材は、断面矩形状で、その長手方向下部の所定個所に切欠きが設けられていることを特徴とする請求項１に記載の壁体内気密構造。
【請求項４】
請求項１〜３の何れか１項に記載の壁体内気密構造の施工方法において、
前記軸材間の間隔に対応する長さを有する気密部材を、前記横架材の上面の前記床材支持部材を避ける部位に当接すると共に、該気密部材の長手方向両端部を前記軸材間に挿入当接して配置し、前記気密シートを該気密部材の端部まで延長して張設することを特徴とする壁体内気密構造の施工方法。
【発明の詳細な説明】
【技術分野】
【０００１】
本発明は、建築物の土台、胴差し等の横架材の上面に柱、間柱等の軸材が立設されると共に、該横架材の上面に床材支持部材が水平方向に載置され、該横架材上方に設けられる断熱部材の室内側に気密シートが張設される壁体内気密構造及びその施工方法に関するものである。
【背景技術】
【０００２】
木造住宅の外壁と床取り合い部との気密性を連続させる技術としては、種々の提案がなされている。
【０００３】
例えば、特開２００４−２２５４２０号公報（特許文献１）に記載された技術では、外壁部の横架材に予め気密シートを施工して、上下階の気密フィルムを連続させることが提案されている。
【０００４】
また、特開２００４−７６３４８号公報（特許文献２）に記載された技術では、基礎と床面の気密性能を確保するために基礎上部の内縁部を覆い、且つ軸組みに沿って起立して床の縁部を覆う形状に形成された気密部材を有し、該気密部材が起立した部分の背面に断熱面を構成する断熱部材が固定され、該気密部材の連結端部に該気密部材の連結部分を密封するためのシール部材を貼設することが提案されている。
【０００５】
【特許文献１】特開２００４−２２５４２０号公報
【特許文献２】特開２００４−０７６３４８号公報
【発明の開示】
【発明が解決しようとする課題】
【０００６】
しかしながら、前述の従来例において、気密施工自体は比較的容易になるものの、部材の加工や施工に手間がかかるという問題が残る。
【０００７】
本発明は前記課題を解決するものであり、その目的とするところは、施工性及びコスト面に優れた壁体内気密構造及びその施工方法を提供せんとするものである。
【課題を解決するための手段】
【０００８】
前記目的を達成するための本発明に係る壁体内気密構造の第１の構成は、建築物の土台、胴差し等の横架材の上面に柱、間柱等の軸材が立設されると共に、該横架材の上面に床材支持部材が水平方向に載置され、該横架材上方に設けられる断熱部材の室内側に気密シートが張設される壁体内気密構造において、前記横架材の上面の前記床材支持部材を避ける部位に、前記軸材間の間隔に対応する長さを有する気密部材が当接されると共に、該気密部材が前記気密シートに当接する部位まで延長され、更に該気密部材の長手方向両端部が前記軸材間に当接して配置され、前記気密シートを該気密部材の端部まで延長して張設したことを特徴とする。
【０００９】
また、本発明に係る壁体内気密構造の第２の構成は、前記第１の構成において、前記気密部材は、断面Ｌ字形状又は断面Ｊ字形状であることを特徴とする。
【００１０】
また、本発明に係る壁体内気密構造の第３の構成は、前記第１の構成において、前記気密部材は、断面矩形状で、その長手方向下部の所定個所に切欠きが設けられていることを特徴とする。
【００１１】
また、本発明に係る壁体内気密構造の施工方法は、前記第１〜第３の構成の壁体内気密構造の施工方法において、前記軸材間の間隔に対応する長さを有する気密部材を、前記横架材の上面の前記床材支持部材を避ける部位に当接すると共に、該気密部材の長手方向両端部を前記軸材間に挿入当接して配置し、前記気密シートを該気密部材の端部まで延長して張設することを特徴とする。
【発明の効果】
【００１２】
本発明に係る壁体内気密構造によれば、断面Ｌ字形状又は断面Ｊ字形状、或いは断面矩形状で、その長手方向下部の所定個所に切欠きが設けられた各種の気密部材を介して、断熱部材の室内側に張設される気密シートと、横架材とを連続的に気密的に接続することが出来、しかも収まりの良い壁体内気密構造とすることが出来る。
【００１３】
また、本発明に係る壁体内気密構造の施工方法によれば、断面Ｌ字形状の気密部材を介して、断熱部材の室内側に張設される気密シートと、横架材とを連続的に気密的に接続することが出来、しかも、内装材が施工される前であればいつでも施工することが出来、リフォーム時にも内装材を剥がすだけで容易に施工することが出来る。
【発明を実施するための最良の形態】
【００１４】
図により本発明に係る壁体内気密構造及びその施工方法の一実施形態を具体的に説明する。図１は本発明に係る壁体内気密構造を示す斜視説明図、図２は各種の気密部材の例である。
【００１５】
図１に示す壁体内気密構造は、木造軸組構造からなる木造住宅等の建築物の外壁部の基礎上に設けた土台、または２階部分の胴差し等の横架材５の上面５ａに柱、間柱等の軸材８が立設されると共に、該横架材５の上面５ａに図示しない床材を載置して支持する床材支持部材となる根太９が水平方向に載置されている。横架材５の上方に設けられる断熱部材10の室内側には気密シート６が張設されている。断熱部材としては、グラスウール、ロックウール、セルロースファイバー等の繊維系断熱材、および発泡ポリエチレン、発泡ポリスチレン、発泡ポリウレタン、発泡ポリプロピレン等の発泡プラスチック系断熱材等が挙げられる
【００１６】
根太９の端部は横架材５の上面５ａの幅のだいたい中間部に配置され、該横架材５の上面５ａの根太９を避ける部位には軸材８間の間隔に対応する長さを有する断面Ｌ字形状の気密部材１の起立片２が気密的に当接される。気密部材１の水平片３は気密シート６に当接する部位まで延長されており、該気密部材１の長手方向両端部は軸材８間に気密的に当接して配置される。そして、気密シート６が気密部材１の水平片３の端部３ａまで延長されて張設される。
【００１７】
気密部材１は樹脂発泡体により構成され、例えば発泡ポリエチレン、発泡ポリスチレン、発泡ポリウレタン、発泡ポリプロピレン等の非通気性、柔軟性を有する発泡プラスチック或いはこれ等の複合材からなる。
【００１８】
気密部材１の起立片２は粘着材４により横架材５の上面５ａに密着される。粘着材４としては、気密性、耐久性を有するものが望ましく、例えば、ブチル系、アクリル系等の両面テープが好ましい。
【００１９】
気密部材１の起立片２と水平片３とは気密性を保てるように連続されていれば良く、図１及び図２（ａ）に示すように、起立片２と水平片３とが断面Ｌ字形状に一体的に固定されているものでも良く、図２（ｂ），（ｃ）に示すように、別体の起立片２と水平片３とが発泡プラスチックのスキン層或いは気密テープ等により折曲可能に接続されているものでも良い。
【００２０】
図２（ｂ）の気密部材１は、起立片２の斜面２ａと、水平片３の斜面３ｂとが当接して起立片２と水平片３とが断面Ｌ字形状に形成され、図２（ｃ）の気密部材１は、起立片２の一辺と、水平片３の一辺とが接続された状態で該起立片２と水平片３とが断面Ｌ字形状に形成される一例である。
【００２１】
図２（ｂ）の気密部材１は、起立片２と水平片３との連結部分の小口面が角度をつけて加工された斜面２ａ，３ｂにより構成されるため、図２（ｃ）の気密部材１のように起立片２と水平片３との連結部分が線状で構成される場合と比較して断熱欠損がなく好ましい。
【００２２】
図３（ａ）の気密部材１は、断面Ｊ字形状で構成されており、図１に示したように、横架材５の上面５ａの根太９を避ける部位には軸材８間の間隔に対応する長さを有する気密部材１の起立片２が粘着材４を介して気密的に当接して接着される。気密部材１の水平片３は気密シート６に当接する部位まで延長されており、該気密部材１の長手方向両端部は軸材８間に気密的に当接して配置される。そして、気密シート６が気密部材１の垂下片11の側面11ａまで延長されて張設される。他の構成は前述したと同様に構成される。
【００２３】
図３（ｂ）の気密部材１は、横架材５の幅寸法に対応する幅と、軸材８間の間隔に対応する長さを有する断面矩形状で、その長手方向下部の床材支持部材となる根太９が通る所定箇所に該根太９の端部形状に対応する切欠き12が設けられている。そして、図１に示したように、横架材５の上面５ａの根太９を切欠き12に嵌合して気密部材１の底面１ａが粘着材４を介して気密的に当接して接着される。気密部材１の側面１ｂは気密シート６に当接する部位に位置しており、該気密部材１の長手方向両端部は軸材８間に気密的に当接して配置される。そして、気密シート６が気密部材１の側面１ｂまで延長されて張設される。他の構成は前述したと同様に構成される。
【００２４】
気密部材１は根太９を支持する横架材５上部の壁体内に充填施工されるが、その際、壁体室内側に施工される上階の気密シート６が内装材７とにより押さえつけられることによって、或いは気密テープによって気密シート６と気密部材１とが気密的に連続して接続される。
【００２５】
根太９を支持する横架材５と気密部材１との間は粘着材４によって気密的に接続される。また、軸材８と気密部材１との間は該軸材８間に圧縮して施工された気密部材１の復元力によって、気密シート６、横架材５、軸材８間のそれぞれの気密性を容易に連続させることが出来る。
【００２６】
気密部材１は内装材７が施工される前であれば、いつでも施工することが出来る。また、リフォーム時にも内装材７を剥がして気密部材１を施工するだけで根太９を外すことなく容易に気密シート６と横架材５との間の気密性を確保することが出来る。
【産業上の利用可能性】
【００２７】
本発明の活用例として、木造住宅の外壁と床取り合い部との気密性を連続させる施工方法に適用することが出来る。
【図面の簡単な説明】
【００２８】
【図１】本発明に係る壁体内気密構造を示す斜視説明図である。
【図２】各種の気密部材の例である。
【図３】各種の気密部材の例である。
【符号の説明】
【００２９】
１…気密部材
１ａ…底面
１ｂ…側面
２…起立片
２ａ…斜面
３…水平片
３ａ…端部
３ｂ…斜面
４…粘着材
５…横架材
５ａ…上面
６…気密シート
７…内装材
８…軸材
９…根太
10…断熱部材
11…垂下片
11ａ…側面
【図１】
2007100433.tif 000003
【図２】
2007100433.tif 000004
【図３】
2007100433.tif 000005